Podtech/llm-jp-corpus-v4-ja_patent huggingface dataset:
【手続補正書】
【提出日】平成19年10月15日(2007.10.15)
【手続補正１】
【補正対象書類名】明細書
【補正対象項目名】特許請求の範囲
【補正方法】変更
【補正の内容】
【特許請求の範囲】
【請求項１】  ポリエステルを主成分とする基質に、１〜１０の形状比とナノメートルサイズを有する０．０１〜２５重量％の鉱物粒子を含有させたことを特徴とする、熱機械特性の改善されたポリエステルを主成分とする組成物。
【請求項２】  前記粒子はほぼ球形で且つ平均直径が２００ｎｍ以下である請求項１の組成物。
【請求項３】  前記粒子は平均粒子径が５〜１００ｎｍである請求項２の組成物。
【請求項４】  前記粒子は金属酸化物である請求項１〜３のいずれかの組成物。
【請求項５】  前記粒子はシリカ、二酸化チタン、ジルコニア、及びアルミナより選択される請求項４の組成物。
【請求項６】  前記粒子は前記ポリエステルの合成の際にシリカゾルを導入することにより得られるシリカを主成分としたものである請求項５の組成物。
【請求項７】  シリカゾルは水性又はグリコール性である請求項６の組成物。
【請求項８】  ポリエステルは、ポリエチレンテレフタレート、ポリトリメチレンテレフタレート、ポリブチレンテレフタレート、ポリナフタレンテレフタレート、これらの共重合体、及びこれらの混合物より選択される請求項１〜７のいずれかの組成物。
【請求項９】  前記ポリエステルは無定形化剤を含む請求項１〜８のいずれかの組成物。
【請求項１０】  無定形化剤は前記ポリエステルの共単量体である請求項９の組成物。
【請求項１１】  共単量体はイソフタル酸、１，４−シクロへキサンジオール、ジエチレングリコール、及びそれらの混合物より選択される請求項１０の組成物。
【請求項１２】  ａ）少なくとも一種のジオールと少なくとも一種のジカルボン酸またはジカルボン酸エステルとの混合物中に、平均粒子径が２００ｎｍ以下のシリカゾルを導入し、
ｂ）上記ジカルボン酸またはジカルボン酸エステルの前記ジオールによるエステル化またはエステル交換を行わせ、ついで
ｃ）エステル化生成物を減圧下で重縮合させる、
工程を含むポリエステルを主成分とする組成物の製造方法。
【請求項１３】  前記工程ｃ）がアンチモン又はチタンを主成分とする触媒の存在下に実施される請求項１２の製造方法。
【請求項１４】  請求項１〜１１の組成物から成形した成型品。
【請求項１５】  請求項１〜１１の組成物から射出−ブロー成形したボトル。
【請求項１６】  請求項１〜１３の組成物から成形されたポリエステルを主成分とするボトルを使用することを特徴とする、加熱した液体をボトルに充填する方法。
【手続補正２】
【補正対象書類名】明細書
【補正対象項目名】０００７
【補正方法】変更
【補正の内容】
【０００７】
（課題を解決するための技術手段）
従って、本発明は、該組成物がポリエステルを主成分とする基質と、１〜１０の形状比を有し、ナノメートルサイズを有する０．０１〜２５重量％の鉱物粒子を含有することを特徴とする、ポリエステルを主成分とする組成物を提案する。
【手続補正書】
【提出日】平成19年9月21日(2007.9.21)
【手続補正１】
【補正対象書類名】明細書
【補正対象項目名】特許請求の範囲
【補正方法】変更
【補正の内容】
【特許請求の範囲】
【請求項１】  医用品の遠隔分配のためのシステムであって、
第１の位置において医用品の分配を認定するための認定ノード、
第２の位置において医用品を分配するための投与ノード、
認定ノードと分配ノードとを接続する管理ノード、及び
ノード間の伝送媒体
を具備したシステム。
【請求項２】  伝送媒体が回路網を含む請求項１のシステム。
【請求項３】  回路網がインターネットである請求項２のシステム。
【請求項４】  伝送媒体が電話システムを含む請求項１のシステム。
【請求項５】  伝送媒体が衛星システムを含む請求項１のシステム。
【請求項６】  伝送媒体がポケットベルシステムを含む請求項１のシステム。
【請求項７】  伝送媒体が無線システムを含む請求項１のシステム。
【請求項８】  分配ノードが分配装置管理装置及び複数のビンを有するハウ
ジングを含み、各ビンが医用品のコード化された複数の包装体を保管している請
求項１のシステム。
【請求項９】  分配される医用品のコードを読むためにコードリーダーが前
記管理装置に組み合わせられる請求項８のシステム。
【請求項１０】  管理ノードが第３の位置に置かれる請求項１のシステム。  
【請求項１１】  管理ノードが認定ノードと同じ位置に置かれる請求項１の
システム。
【請求項１２】  医用品の分配が分配ノードにおいて開始される請求項１の
システム。
【請求項１３】  医用品の分配が認定ノードにおいて開始される請求項１の
システム。
【請求項１４】  医用品の分配が管理ノードにおいて開始される請求項１の
システム。
【請求項１５】  医用品が処方調剤である請求項１のシステム。
【請求項１６】  医用品の分配方法であって、
第１の位置において医用品の分配を認定し、
認定を、伝達媒体を介して第２の位置に伝達し、そして
第２の位置において医用品を分配する
ことを含む方法。
【請求項１７】  伝達媒体がインターネットのような回路網を含む請求項１
６の方法。
【請求項１８】  伝達媒体が電話システムを含む請求項１６の方法。
【請求項１９】  伝達媒体が衛星システムを含む請求項１６の方法。
【請求項２０】  伝達媒体がポケットベルシステムを含む請求項１６の方法。
【請求項２１】  伝達媒体が無線システムを含む請求項１６の方法。
【請求項２２】  医用品が処方調剤である請求項１６の方法。
【請求項２３】  医用品の分配を管理することを更に含む請求項１６の方法。
【請求項２４】  医用品の分配の管理が第１の位置において行われる請求項
２３の方法。
【請求項２５】  医用品の分配の管理が第３の位置において行われる請求項
２３の方法。
【請求項２６】  医用品の分配が第２の分配位置において開始される請求項
１６の方法。
【請求項２７】  医用品の分配が第１の認定位置において開始される請求項
１６の方法。
【請求項２８】  医用品の分配が第３の管理位置において開始される請求項
１６の方法。
【請求項２９】  世界的通信回路網に接続された医用品のための分配システム。
【請求項３０】  世界的通信回路網が公開アクセス回路網を含む請求項２９
の分配システム。
【請求項３１】  世界的通信回路網が電話システムを含む請求項２９の分配
システム。
【請求項３２】  世界的通信回路網が衛星システムを含む請求項２９の分配
システム。
【請求項３３】  世界的通信回路網がポケットベルシステムを含む請求項２
９の分配システム。
【請求項３４】  世界的通信回路網が無線システムを含む請求項２９の分配
システム。
【請求項３５】  認定システムが世界的通信回路網を介して分配システムと
と通信状態にある請求項２９の分配システム。
【請求項３６】  医用品が処方調剤である請求項２９の分配システム。
【請求項３７】  通信チャンネル及び通信チャンネルで通信するためにこれ
に接続された複数のデジタルデータプロセッサー及びコンピューター装置により
形成されるコンピューター回路網において、
医用品の分配を認定するための第１の位置における認定用データプロセッサー、
複数の医用品を有するハウジングに連結された第２の位置の分配用データプロ
セッサー、及び
認定されたときの医用品の分配を管理するために認定用及び分配用のデータプ
ロセッサーと通信状態にある管理用データプロセッサー
を具備した医用品分配用のコンピューター装置。
【請求項３８】  データプロセッサーが回路網を介して通信し、更に医用品
を認定し分配するために実行可能な指令の組により作動する請求項３７のコンピ
ューター装置。
【請求項３９】  分配用データプロセッサーが、複数の調剤を有するハウジ
ングと一体である請求項３７のコンピューター装置。
【請求項４０】  医用品が処方調剤である請求項３７のコンピューター装置。
【請求項４１】  認定用データプロセッサーからの通信を解析するためにイ
ンターフェースデータプロセッサーを更に備える請求項３７のコンピューター装置。
【請求項４２】  インターフェースデータプロセッサーが管理用データプロ
セッサーと通信状態にある請求項４１のコンピューター装置。
【請求項４３】    第１の認定用コンピューターにおいて処理するためのデ
ータの第１の部分集合であって、医用品の分配のための認定を含んだデータの第
１の部分集合、及び
第２の分配用コンピューターにおいて処理するためのデータの第２の部分集合
であって、分配された医用品に添える医用品ラベルのためのデータを含んだデー
タの第２の部分集合
を含んだデータ構造を有する複数のコンピューター間のコンピューター読取り可
能なデータ伝送媒体。
【請求項４４】  認定用コンピューターにおいて処理するためのデータの第
３の部分集合であって、データの第１の部分集合の解釈から得られたデータを含
んだデータの第３の部分集合を更に含む請求項４３のコンピューター読取り可能
なデータ伝送媒体。
【請求項４５】  医用品の分配を実行するためのコンピュータープログラム
プロダクトであって、
第１の位置における医用品の分配を認定し、かつ
第２の位置における医用品の分配を実行する
プログラムコードを含んだコンピューター可読コードを有するコンピューター使
用可能な媒体
を含んだコンピュータープログラムプロダクト。
【請求項４６】  医用品が処方調剤である請求項４５のコンピュータープロ
グラムプロダクト。
【手続補正書】
【提出日】平成18年12月8日(2006.12.8)
【手続補正１】
【補正対象書類名】明細書
【補正対象項目名】特許請求の範囲
【補正方法】変更
【補正の内容】
【特許請求の範囲】
【請求項１】
液体を含む分注システムと、
該分注システムから前記液体を受け入れる少なくとも１つの噴霧部と、
該少なくとも１つの噴霧部から発散する液体をエーロゾル化するために、近い電界を生成する荷電源と、
前記分注システム及び前記荷電源と連通した制御回路と
を備えるエーロゾル送出装置。
【請求項２】
使用者による吸入用のエーロゾル化された液体を向ける出口開口を有する筺体をさらに備え、
該筐体は、前記少なくとも１つの噴霧部を囲む、請求項１に記載のエーロゾル送出装置。
【請求項３】
前記少なくとも１つの噴霧部から発散するエーロゾル化された液体の少なくとも一部を中和する少なくとも１つのイオン放電電極をさらに備える、請求項１に記載のエーロゾル送出装置。
【請求項４】
前記少なくとも１つのイオン放電電極は、前記少なくとも１つの噴霧部と前記エーロゾル送出装置の出口開口との間に配置される、請求項３に記載のエーロゾル送出装置。
【請求項５】
前記制御回路は、前記液体のエーロゾル化を開始する作動装置を備える、請求項１に記載のエーロゾル送出装置。
【請求項６】
前記作動装置は、使用者の息の吸入を検出するセンサを備える、請求項５に記載のエーロゾル送出装置。
【請求項７】
前記センサは、使用者の息の多数回の吸入を検出することができる、請求項１に記載のエーロゾル送出装置。
【請求項８】
前記荷電源は、電池とＤＣ−ＤＣ高電圧変換器とを備える、請求項１に記載のエーロゾル送出装置。
【請求項９】
前記分注システムは、一服用量の前記液体を前記少なくとも１つの噴霧部に送り出す計量システムを備える、請求項１に記載のエーロゾル送出装置。
【請求項１０】
前記制御回路は、オン／オフ電力インジケータ、電力節約モード、および無許可の使用者による使用を防止するロックアウトを含むグループから選択された少なくとも１つの機能を含む、請求項１に記載のエーロゾル送出装置。
【請求項１１】
前記制御回路は、少なくとも約２０マイクロリットル／秒の流量で液体をエーロゾル化する前記分注システム及び荷電源を制御可能である、請求項１に記載のエーロゾル送出装置。
【請求項１２】
前記制御回路は、小滴の少なくとも約８０％が約５ミクロン以下の直径を有するように、液体を前記小滴にエーロゾル化する前記分注システム及び荷電源を制御可能である、請求項１に記載のエーロゾル送出装置。
【請求項１３】
基部と、
該基部に接続する基端部及び前記基部から垂直に向けられた先端部をそれぞれが有する複数の噴霧部と、
前記基部に接続された複数の放電電極であって、該複数の放電電極は、前記先端部に比べて前記基部からの間隔が空いている複数の放電電極と、
前記基部に接続された複数の基準電極であって、該複数の放電電極は、前記複数の放電電極に比べて前記基部からの間隔が空いている複数の基準電極と
を備え、
前記複数の噴霧部が荷電源と電気的に連通するように配置されて液体が前記複数の噴霧部から流れ出されるときに、少なくとも１つの先端部からエーロゾル化された噴霧が形成される、液体をエーロゾル化する装置。
【請求項１４】
前記複数の放電電極のうちの少なくとも１つは、前記噴霧部によって生成された前記エーロゾル化された小滴にかかる電荷を、ほぼ中和するのに十分な電界強度を有する、請求項１３に記載の液体をエーロゾル化する装置。
【請求項１５】
上面および下面を有する基板と、
該基板の前記下面に円形状に配置された複数の噴霧部であって、それぞれが前記基板に設けられた基端部と先端部とを有し、前記複数の噴霧部が荷電源と協働して少なくとも１つの先端部からエーロゾル化された噴霧を行うことになる複数の噴霧部と、
前記基板から延伸するスカートと、
前記スカートに囲まれた誘電材料と、
それぞれ前記噴霧部の先端部の下流の前記スカートから延伸する複数の放電電極と、
それぞれ前記放電電極の下流の前記スカートから延伸する複数の基準電極と
を備える、液体をエーロゾル化する装置。
【手続補正書】
【提出日】平成19年6月19日(2007.6.19)
【手続補正１】
【補正対象書類名】明細書
【補正対象項目名】００１２
【補正方法】変更
【補正の内容】
【００１２】
例２：２５％経口溶液
ＣＤＰ−コリン、ナトリウム塩              ２６．１２ｇ
７０％ソルビトール                        ２０．００ｇ
ｐ−ヒドロキシ安息香酸メチル                ０．１６ｇ
ｐ−ヒドロキシ安息香酸プロピル              ０．０４ｇ
クエン酸二ナトリウム                        ０．６０ｇ
サッカリンナトリウム                        ０．０２ｇ
イチゴエッセンス                            ０．０４ｇ
Ｒｅｄ  Ｐｕｎｚｏ  ４Ｒ                    ０．５０ｍｇ
無水クエン酸                                ０．０５ｇ
精製水  適量                            １００．００ｍｌ
【手続補正２】
【補正対象書類名】明細書
【補正対象項目名】００１５
【補正方法】変更
【補正の内容】
【００１５】
例５：アルコール禁断症状におけるＣＤＰ−コリン対クロメチアゾール及びビタミンＢのオープン、無作為比較臨床試験。
アルコール禁断症状の通常治療におけるオープン、無作為及び比較試験を患者４０名で行なった。患者を２０名ずつの２群に無作為に分配した。１群は対照とし、クロメチアゾール及びビタミンＢ１，Ｂ６及びＢ１２を投与した。この治療方法を８日間維持し、次いで患者に治療終了まで（６０日）ジアゼパムを投与した。他の群の患者には同じ治療方法プラスＣＤＰ−コリン５００ｍｇ  ｉ．ｍ．１２時間毎を最初の３０日間そしてＣＤＰ−コリン２００ｍｇ  ｐ．ｏ．８時間毎を残りの３０日間行なった。ＣＤＰ−コリンプラス通常治療を受けた患者は治療３０日後に振せん発生率（ｐ＜０．０５）、痙攣（ｐ＜０．０５）、無力（ｐ＜０．０５）、感情不安定（ｐ＜０．０１）、神経過敏（ｐ＜０．０５）及び社会的引きこもり（ｐ＜０．０５）について対照に対して有意差を示した。
【手続補正書】
【提出日】平成19年3月13日(2007.3.13)
【手続補正１】
【補正対象書類名】明細書
【補正対象項目名】特許請求の範囲
【補正方法】変更
【補正の内容】
【特許請求の範囲】
【請求項１】
原発性頭痛障害または薬物誘発性頭痛の治療に使用する医薬の調製における、EP4受容体アンタゴニストの使用。
【請求項２】
原発性頭痛障害を治療する医薬の製造における、下記式（Ｉ）の化合物またはその製薬上許容される塩もしくは溶媒和物の使用。
【化１】
2003528144.tif 000001
［式中、
R1は、ヒドロシキ、保護カルボキシもしくはカルボキシで置換されている低級アルキル；カルボキシ；保護カルボキシ；カルバモイル；複素環基；シアノ；ヒドロキシ；ハロ（低級）アルキルスルホニルオキシ；ヒドロキシもしくはカルバモイルで置換されていてもよい低級アルコキシ；カルボキシ、保護カルボキシ、カルバモイルもしくは複素環基で置換されているアリール；または、保護カルボキシもしくは低級アルキルスルホニルで置換されていてもよいアミノであり、
R2は、水素または低級アルキルであり、
R3は、ハロゲンで置換されていてもよいアリールであり、
R4は、ハロゲンで置換されていてもよいアリールであり、
Ｑは、
【化２】
2003528144.tif 000002
（ここで、-A1-は単結合または低級アルキレンであり、
2003528144.tif 000003
はシクロ（C5〜C9）アルカン、ビシクロ（C6〜C9）アルカンまたはビサイクル（C5〜C9）アルカンであり、-A3-は単結合または低級アルキレンである）
であり、
ＸはＯ、NHまたはＳである。］
【請求項３】
原発性頭痛障害が片頭痛である、請求項１または２に記載の使用。
【請求項４】
EP4受容体アンタゴニストおよび原発性頭痛障害の治療に用いる第２の治療物質を含む組成物。
【請求項５】
EP4受容体アンタゴニストが、請求項２で定義される式（Ｉ）の化合物またはその製薬上許容される塩もしくは溶媒和物である、請求項４に記載の組成物。
【請求項６】
前記第２の物質が、麦角誘導体、5-HT2受容体アンタゴニスト、5-HT1D受容体アゴニストおよびNSAIDからなる群から選ばれる、請求項４または５に記載の組成物。
【請求項７】
ヒト以外の動物における原発性頭痛障害または薬物誘発性頭痛の治療方法であって、該ヒト以外の動物に、治療上有効な量のEP4受容体アンタゴニストまたはその製薬上許容される塩もしくは溶媒和物を投与することを含む上記方法。
【請求項８】
ヒト以外の動物における原発性頭痛障害または薬物誘発性頭痛の治療方法であって、該ヒト以外の動物に、治療上有効な量の式（Ｉ）のEP4受容体アンタゴニストまたはその塩もしくは溶媒和物を投与することを含む上記方法。
【化３】
2003528144.tif 000004
［式中、
R1は、ヒドロシキ、保護カルボキシもしくはカルボキシで置換されている低級アルキル；カルボキシ；保護カルボキシ；カルバモイル；複素環基；シアノ；ヒドロキシ；ハロ（低級）アルキルスルホニルオキシ；ヒドロキシもしくはカルバモイルで置換されていてもよい低級アルコキシ；カルボキシ、保護カルボキシ、カルバモイルもしくは複素環基で置換されているアリール；または、保護カルボキシもしくは低級アルキルスルホニルで置換されていてもよいアミノであり、
R2は、水素または低級アルキルであり、
R3は、ハロゲンで置換されていてもよいアリールであり、
R4は、ハロゲンで置換されていてもよいアリールであり、
Ｑは、
【化４】
2003528144.tif 000005
（式中、-A1-は単結合または低級アルキレンであり、
2003528144.tif 000006
はシクロ（C5〜C9）アルカン、ビシクロ（C6〜C9）アルカンまたはビサイクル（C5〜C9）アルカンであり、-A3-は単結合または低級アルキレンである）
であり、
ＸはＯ、NHまたはＳである。］
【請求項９】
前記EP4受容体アンタゴニストが、原発性頭痛障害の治療に使用される第２の治療物質と組み合せて投与される、請求項７または８に記載の方法。
【請求項１０】
原発性頭痛障害または薬物誘発性頭痛を治療するための物質についてのアッセイ法であって、
（ａ）EP4受容体を用意し、
（ｂ）上記治療の可能性がある物質を該受容体と接触させ、
（ｃ）該物質がEP4受容体と相互作用できるか否かを判定し、そして
（ｄ）そのように相互作用する物質を、原発性頭痛障害または薬物誘発性頭痛の治療物質として選択する、
ことを含む上記アッセイ法。
【請求項１１】
原発性頭痛障害を治療するための物質についてのアッセイ法であって、
（ａ）EP4受容体を、EP1、EP2およびEP3受容体からなる群から選ばれる少なくとも１種の他の受容体と共に用意し、
（ｂ）上記治療の可能性がある物質を該受容体と接触させ、
（ｃ）該物質がEP4受容体に選択的に結合できるか否かを判定し、そして
（ｄ）そのように結合する物質を、原発性頭痛障害を治療するための物質として選択する、
ことを含む上記アッセイ法。
【請求項１２】
前記他の受容体がEP3受容体である、請求項11に記載のアッセイ法。
【請求項１３】
１以上の下記ステップ：
（ｅ’）そのように選択された物質を、ヒトまたは動物の被験体における安全性および／または毒性について試験すること、
（ｅ’’）そのように選択された物質を、ヒト被験体において、原発性頭痛障害の治療の有効性について試験すること、および
（ｅ’’’）該物質を、１種以上の担体、希釈剤または原発性頭痛障害を治療するための第2の物質と共に製剤化すること、
を更に含む、請求項10、11または12に記載のアッセイ法。
【手続補正書】
【提出日】平成19年3月20日(2007.3.20)
【手続補正１】
【補正対象書類名】明細書
【補正対象項目名】特許請求の範囲
【補正方法】変更
【補正の内容】
【特許請求の範囲】
【請求項１】  情報システムと共に使用されるデータ入力装置であって、
イメージャと；
イメージャに近接する光源と；
人に装着させた逆反射体と；
光源からの光が前記逆反射体によってイメージャに逆反射される光であって、その逆反射光は、固定成分と、人によって変化する可変成分とからなり、その可変成分は、前記逆反射体の少なくとも一部が、前記イメージャの視野から隠れるか隠れないかで変化する逆反射光と；
ある時間間隔内に固定成分がイメージャで検知されると、イメージャによって情報システムに入力される識別信号と；
その時間間隔内に可変成分がイメージャで検知されると、イメージャによって情報システムに入力される信号
で構成される前記データ入力装置。
【請求項２】  前記のデータ入力装置が人に装着された前記の逆反射体とは別の第２の逆反射体を備え、第２の逆反射体とは別の逆反射体が、イメージャの視野から隠れていることが、第２の逆反射体がイメージャから見える位置と見えない位置との間で位置を変えることを包含する請求項１記載の装置。
【請求項３】  イメージャの視野内に反射体がある場合において、逆反射体の少なくとも一部がイメージャの視野から隠れていること及び隠れていないことが、逆反射体の少なくとも一部がイメージャから見える位置にあること及び見えない位置にあることである請求項１又は２記載の装置。
【請求項４】  逆反射体の少なくとも一部がイメージャの視野から隠れていること及び隠れていないことが、開始配置及び停止配置を構成する請求項１、２又は３記載の装置。
【請求項５】  逆反射体の少なくとも一部が、(a)隠されていること又は(b)隠れていないことのいずれかをイメージャが検知した際に、前記の開始配置がイメージャによる情報システムへの信号入力を開始させる請求項４記載の装置。
【請求項６】  逆反射光の可変成分が前記時間間隔内にイメージャで検知された際に、前記の開始配置がイメージャによる情報システムへの信号入力を開始させ、前記の停止配置がイメージャによる情報システムへの信号入力を停止させる請求項４又は５記載の装置。
【請求項７】  前記の信号が、時間間隔内での経路に沿った逆反射体の一連の位置を識別するデータからなる請求項６記載の装置。
【請求項８】  情報システムと共に使用されるデータ入力装置であって、
イメージャと；
立体角で照射する光源全体を覆うイメージャをスキャンするイメージャスキャナー及び立体角で見えるイメージャ全体を覆う光源をスキャンする光スキャナーから選ばれるスキャナーと、：
イメージャと光源を立体角全体でスキャンする組合せスキャナーと：
イメージャに近接する光源と；
人に装着させた逆反射体と；
光源からの光が前記逆反射体によってイメージャに逆反射される光であって、その逆反射光は、固定成分と、人によって変化する可変成分とからなり、その可変成分は、前記逆反射体の少なくとも一部が、前記イメージャの視野から隠れるか隠れないかで変化する逆反射光と；
ある時間間隔内に固定成分がイメージャで検知されると、イメージャによって情報システムに入力される識別信号と；
その時間間隔内に可変成分がイメージャで検知されると、イメージャによって情報システムに入力される信号
で構成される前記データ入力装置。
【請求項９】  前記逆反射体が人の手の部分にある先行請求項のいずれかに記載の装置。
【請求項１０】  人が身につける物体に前記逆反射体が取り付けられた請求項１〜８のいずれかに記載の装置。
【請求項１１】  人が身につける衣服に前記逆反射体が取り付けられた請求項１〜８のいずれかに記載の装置。
【請求項１２】  情報システムと共に使用されるデータ入力装置であって、
イメージャと；
イメージャに近接する光源と；
人を輸送する乗り物に装着させた逆反射体と；
光源からの光が前記逆反射体によってイメージャに逆反射される光であって、固定成分と、人によって変化する可変成分とからなる逆反射光と；
ある時間間隔内に固定成分がイメージャで検知されると、イメージャによって情報システムに入力される識別信号と；
その時間間隔内に可変成分がイメージャで検知されると、イメージャによって情報システムに入力される信号
で構成される前記データ入力装置。
【請求項１３】  少なくとも一人の人と次の人に装着された継起逆反射体と；
光源からの光が前記継起逆反射体によってイメージャに逆反射される光であって、その継起逆反射光は、継起固定成分と、人によって変化する継起可変成分とからなり、その継起可変成分は、前記継起逆反射体の少なくとも一部が、前記イメージャの視野から隠れているか隠れていないかで変化する逆反射光と；
ある時間間隔内に継起固定成分がイメージャで検知されると、イメージャによって情報システムに入力される継起識別信号と；
その時間間隔内に継起可変成分がイメージャで検知されると、イメージャによって情報システムに入力される継起信号
をさらに備えている先行請求項のいずれかに記載のデータ入力装置。
【請求項１４】  継起逆反射体が次の人に装着される請求項１３記載の装置。
【請求項１５】  継起固定成分が固定成分と相違し、継起識別信号が識別信号と相違することで、逆反射体で逆反射された光と継起逆反射体で逆反射された光とをイメージャが区別できる請求項１３又は１４記載の装置。
【請求項１６】  前記逆反射体が、他の電磁放射スペクトル部分よりも大きい第１電磁放射スペクトル部分を反射し、イメージャが他の電磁放射スペクトル部分よりも第１電磁放射スペクトル部分に対して敏感である先行請求項のいずれかに記載の装置。
【請求項１７】  前記の光源が第１の周波数で変調され、イメージャが他の周波数で変調された光に対してよりも、第１の周波数で変調された光に対して敏感である先行請求項のいずれかに記載の装置。
【請求項１８】  情報処理装置をさらに備え、その情報処理装置が信号成分の構成名簿を作成するところの、逆反射光の可変成分の変化量を処理する先行請求項のいずれかに記載の装置。
【請求項１９】  前記逆反射体の近傍に、前記可変成分に関係する情報を表示する人に可視な表示装置をさらに備えている先行請求項のいずれかに記載の装置。
【請求項２０】  前記逆反射光の可変成分を変化させ、前記表示装置に表示される情報を眺めることで、人が対話形式で利用できる請求項１９記載の装置。
【手続補正書】
【提出日】平成19年7月24日(2007.7.24)
【手続補正１】
【補正対象書類名】明細書
【補正対象項目名】特許請求の範囲
【補正方法】変更
【補正の内容】
【特許請求の範囲】
【請求項１】
概ね平滑な内側および構造化された外側を有する壁を含み、該構造化された外側が光導波路の長さに沿って延びる溝を画定する複数のプリズムを含む、可撓性中空光導波路と、
前記光導波路の前記構造化された外側を囲んでいる可撓性保護外側スリーブと、
弾性的に変形した、概ね非円筒の構成に前記中空光導波路を保持するための固定具と、を備え、
前記外側スリーブは、前記光の前記構造化された外側が前記固定具に接触することを防ぐことを特徴とする、光分散システム。
【請求項２】
前記外側スリーブは、前記光導波路に結合されることを特徴とする、請求項１記載のシステム。
【請求項３】
前記プリズムの大部分は、前記外側スリーブに結合されることを特徴とする、請求項２記載のシステム。
【手続補正書】
【提出日】平成19年4月10日(2007.4.10)
【手続補正１】
【補正対象書類名】明細書
【補正対象項目名】特許請求の範囲
【補正方法】変更
【補正の内容】
【特許請求の範囲】
【請求項１】  一般式(B)
【化１】
2003528828.tif 000001
(上記式中、
Xは-CONR5R6、または-COOR7、または-COR8、またはCNであり、
R1は水素、ハロゲンまたはアルキルであり、
R2及びR4は同一であるかまたは異なっており、それぞれ独立して水素、ハロゲンまたはアルキルであり、
R3は水素、ハロゲン、アルキルまたは（C2-C5）アルケニルであり、
R5、R6、R7は同一であるかまたは異なっており、それぞれ独立して水素またはアルキルであり、
R8は、水素、ヒドロキシまたはアルキルであり、
各アルキルは１〜２０個の炭素原子を含み、直鎖、分枝鎖、若しくは環状残基、又はその組合せを有し、必要に応じて、ハロゲン、ヒドロキシ、チオール、アミノ、ニトロ、シアノ、アシル、アシルオキシ、-SO2-アルキル、-SO2-アリール、-SO-アルキル、-SO-アリール、アルキルアミノ、カルボキシ、エステル、エーテル、アミド、スルホン酸、スルホンアミド、アルコキシカルボニル、アルキルチオ、アリールチオ、オキシエステル、オキシアミド、ヘテロシクロアルキル、ヘテロアリール、ビニル、(C1-C5）アルコキシ、(C6-C10)アリールオキシ、（C6-C10)アリールからなる群から独立に選ばれる１〜５個の置換基により置換されていてもよい)
を有する化合物の調製方法であって、下記の工程図(6)
【化２】
2003528828.tif 000002
に従って、一般式(A)の化合物（上記式、R1、R2、R3、R4およびXは上記と同じ意味を有する）を反応させることを含んでなる、上記方法。
【請求項２】  式(A)の化合物の接触水素化を含んでなる、請求項1に記載の方法。
【請求項３】  式(A)の化合物にキラル触媒を用いる不斉水素化を行う、請求項1に記載の方法。
【請求項４】  R1がメチルであり、R2およびR4が水素であり、R3が水素、アルキルまたは１つ以上のハロゲンで置換された（C2-C5)アルケニルであり、Xが-CONH2または-COOMeまたは-COOEtまたは-COOHである、請求項1に記載の方法。
【請求項５】  R3が水素、n-プロピルまたは2,2-ジフルオロビニルである、請求項4に記載の方法。
【請求項６】  式(A)の化合物がZ異性体またはE異性体である、請求項1に記載の方法。
【請求項７】  (S)-α-エチル-2-オキソ-1-ピロリジンアセタミドまたは(R)-α-エチル-2-オキソ-1-ピロリジンアセタミドの調製のための請求項1に記載の方法であって、下記の工程図
【化３】
2003528828.tif 000003
に従って、Z異性体またはE異性体の形態の式A'の化合物にキラル触媒を用いる不斉水素化を行うことを含んでなる、上記方法。
【手続補正書】
【提出日】平成19年4月27日(2007.4.27)
【手続補正１】
【補正対象書類名】明細書
【補正対象項目名】特許請求の範囲
【補正方法】変更
【補正の内容】
【特許請求の範囲】
【請求項１】  SEQ ID NO: 10-25および30-41から選択したペプチド。
【請求項２】  SEQ ID NO: 1、10-25および30-41から選択した配列を有するペプチドおよび医薬的に許容可能なキャリアを含むヒトサイトメガロウイルスに対するワクチン。
【請求項３】  さらにアジュバントを含む、請求項2に記載のワクチン。
【請求項４】  前記アジュバントがDNAアジュバントである、請求項3に記載のワクチン。
【請求項５】  前記ペプチドが脂質化されない、請求項2に記載のワクチン。
【請求項６】  前記ペプチドが脂質化される、請求項2に記載のワクチン。
【請求項７】  前記ペプチドがモノ脂質化される、請求項6に記載のワクチン。
【請求項８】  前記ペプチドがジ脂質化される、請求項6に記載のワクチン。
【請求項９】  SEQ ID NO: 1、10-25および30-41のいずれか1つに従うペプチドを提示するためにin vitroで処理された抗原提示細胞を含む、ヒトサイトメガロウイルスに対する細胞性ワクチン。
【請求項１０】  前記抗原提示細胞が自己由来のものである、請求項9に記載の細胞性ワクチン。
【請求項１１】  前記抗原提示細胞がアロジェニックである、請求項9に記載の細胞性ワクチン。
【請求項１２】  SEQ ID NO: 1-14、19、26-28および30のいずれか1つに記載のペプチドをコードする遺伝子を発現する、組換えウイルスベクターワクチン。
【請求項１３】  請求項2、3、4、9あるいは12のいずれか1項に従うワクチンを含む、ヒトサイトメガロウイルス感染に対する免疫応答をモジュレートするための医薬組成物。
【請求項１４】  請求項2に従うワクチンを含む、ヒトサイトメガロウイルス感染に対する免疫応答をモジュレートするための医薬組成物。
【請求項１５】  請求項9に従うワクチンを含む、ヒトサイトメガロウイルス感染に対する免疫応答をモジュレートするための医薬組成物。
【請求項１６】  請求項12に従うワクチンを含む、ヒトサイトメガロウイルス感染に対する免疫応答をモジュレートするための医薬組成物。
【請求項１７】  ヒトサイトメガロウイルスの天然にプロセスされたエピトープおよびDNAアジュバントを含む、ヒトサイトメガロウイルスに対するワクチン。
【請求項１８】  SEQ ID NO: 1の配列を有するペプチドおよびDNAアジュバントを含む、ヒトサイトメガロウイルスに対するワクチン。
【請求項１９】  請求項4に従うワクチンを含む、ヒトサイトメガロウイルス感染に対する免疫応答をモジュレートするための医薬組成物。
【手続補正書】
【提出日】平成19年10月24日(2007.10.24)
【手続補正１】
【補正対象書類名】明細書
【補正対象項目名】特許請求の範囲
【補正方法】変更
【補正の内容】
【特許請求の範囲】
【請求項１】  脂肪酸モノエステル組成物を有する第１容器であって、前記脂肪酸モノエステル組成物が、脂肪酸モノエステルと、界面活性剤と、賦形剤とを含有する第１容器、およびエンハンサーを有する第２容器、を備えるキット。
【請求項２】  前記界面活性剤が、アシルラクチレート塩、ジオクチルスルホスクシネート塩、ラウリル硫酸塩、ドデシルベンゼンスルホン酸塩、またはＣ８〜Ｃ１８脂肪酸の塩を含有する、請求項１に記載のキット。
【請求項３】  前記エンハンサーが、キレート剤、酸、またはアルコールである、請求項１に記載のキット。
【請求項４】  前記脂肪酸モノエステルが、グリセロールモノラウレート、グリセロールモノカプリレート、グリセロールモノカプレート、プロピレングリコールモノラウレート、プロピレングリコールモノカプリレート、プロピレングリコールモノカプレート、またはそれらの組み合わせである、請求項１に記載のキット。
【請求項５】  包装材料と、前記包装材料内の抗菌製剤とを備える製造物品であって、前記抗菌製剤が、脂肪酸モノエステル、エンハンサー、界面活性剤、および賦形剤を含有し、前記脂肪酸モノエステルの濃度が、前記製剤に対して約０．２重量％〜約２．０重量％であり、前記エンハンサーの濃度が、前記製剤に対して約１．１重量％〜約２５重量％であり、前記包装材料が、植物および植物器官に製剤をそのまま適用して、微生物レベルを低減することができることを示すラベルを含む製造物品。
【手続補正書】
【提出日】平成19年11月2日(2007.11.2)
【手続補正１】
【補正対象書類名】明細書
【補正対象項目名】特許請求の範囲
【補正方法】変更
【補正の内容】
【特許請求の範囲】
【請求項１】  脊椎動物被験体において免疫応答を惹起するための薬剤であって、該薬剤は、少なくとも５ｋｂのサイズの１つまたは複数のゲノムＤＮＡフラグメントを保有する遺伝子構築物を含み、該１つまたは複数のフラグメントは、１つまたは複数の抗原をコードし、該１つまたは複数のフラグメントは、
（ｉ）病原体に由来するか；または
（ｉｉ）（ｉ）のフラグメントに対して少なくとも８０％相同性を有する；
薬剤。
【請求項２】  前記１つまたは複数のゲノムフラグメント内に含まれるコード配列の発現が、異種プロモーターによって駆動されない、請求項１に記載の薬剤。
【請求項３】  前記構築物が、５ｋｂ〜２５ｋｂのサイズの前記ゲノムフラグメントまたは集合的にそのようなサイズである複数のフラグメントを保有するプラスミドである、請求項１または２に記載の薬剤。
【請求項４】  前記構築物が、少なくとも２５ｋｂのサイズの前記ゲノムフラグメントまたは集合的にそのようなサイズである複数のフラグメントを保有するコスミドである、請求項１または２に記載の薬剤。
【請求項５】  前記ゲノムＤＮＡフラグメントが、約３５ｋｂと約５０ｋｂの間のサイズであるか、または前記複数のフラグメントが集合的にそのようなサイズである、請求項４に記載の薬剤。
【請求項６】  前記構築物が、２以上の病原体由来のゲノムフラグメントを保有する、請求項１〜５のうちのいずれか１項に記載の薬剤。
【請求項７】  前記病原体が細菌である、請求項１〜６のうちのいずれか１項に記載の薬剤。
【請求項８】  前記病原体がウイルスである、請求項１〜６のうちのいずれか１項に記載の薬剤。
【請求項９】  前記ウイルスが、単純ヘルペスウイルス１型または単純ヘルペスウイルス２型である、請求項８に記載の薬剤。
【請求項１０】  請求項９に記載の薬剤であって、前記１つまたは複数のゲノムＤＮＡフラグメントが、図１のＨＳＶ−２ゲノムマップに示される左から右に向って７番目から１０番目までのＥｃｏＲ１部位に延びる配列に対して少なくとも８０％の相同性を有する配列を含む、ＨＳＶ−２由来の１つまたは複数のゲノムＤＮＡフラグメントである、薬剤。
【請求項１１】  請求項９または１０に記載の薬剤であって、前記コードされる抗原は、ＩＣＰ２７、ＩＣＰ０、ＩＣＰ４、および／またはＩＣＰ２２である、薬剤。
【請求項１２】  請求項８〜１１のうちのいずれか１項に記載の薬剤であって、前記複数のゲノムフラグメントは、１種よりも多くのウイルスに由来する、薬剤。
【請求項１３】  前記構築物が、経皮投与によって投与されることを特徴とする、請求項１〜１２のうちのいずれか１項に記載の薬剤。
【請求項１４】  前記構築物が、経皮的粒子媒介送達デバイスを使用して投与されるコアキャリア上において提供される、請求項１３に記載の薬剤。
【請求項１５】  前記コアキャリアが、０．５μｍ〜５μｍの平均直径および前記被験体への送達を可能にするために十分な密度を有する、請求項１４に記載の薬剤。
【請求項１６】  前記コアキャリアが金属から構成される、請求項１４または１５に記載の薬剤。
【請求項１７】  前記金属が金である、請求項１６に記載の薬剤。
【請求項１８】  前記薬剤は、その投与が、プライムおよびブースター投与を提供するために繰り返される薬剤である、請求項１４〜１７のうちのいずれか１項に記載の使用。
【請求項１９】  請求項１〜１８のうちのいずれか１項に記載の薬剤であって、前記１つまたは複数のフラグメントは、５０％ホルムアミド、５×デンハルト溶液、ならびに５×ＳＳＣおよび１００μｇ／ｍｌの変性サケ精子ＤＮＡ中におけるハイブリダイゼーションと；３７℃における２×ＳＳＣおよび０．１％ＳＤＳの洗浄条件と；その後に、６８℃における１×ＳＳＣおよび０．１％ＳＤＳの洗浄条件と；を含む、ストリンジェントな条件下で、（ｉ）のフラグメントとハイブリダイズする、薬剤。
【請求項２０】  請求項１〜１２のうちのいずれか１項において規定された遺伝子構築物を含む粒子を負荷された、粒子媒介送達デバイス。
【請求項２１】  請求項２０に記載のデバイスであって、前記遺伝子構築物は、請求項１４〜１７のうちのいずれか１項において規定されたコアキャリア上にコートされている、デバイス。
【請求項２２】  粒子媒介送達デバイスにおける使用のために適合した、単回単位投与量容器または多用量容器であって、該容器は、請求項１〜１２のうちのいずれか１項において規定される遺伝子構築物を含む粒子を封入する密閉してシールされた容器を含む、容器。
【請求項２３】  請求項２２に記載の容器であって、前記遺伝子構築物は、請求項１４〜１６のうちのいずれか１項において規定されたコアキャリア上にコートされている、容器。
【請求項２４】  ゲノムＤＮＡフラグメントを保有する１以上の構築物を含むワクチン組成物であって、該構築物は、請求項１４〜１７のうちのいずれか１項において規定されたコアキャリア上にコートされた、請求項１〜１２のうちのいずれか１項において規定された構築物である、組成物。
【請求項２５】  抗原性ポリペプチドをコードする配列を同定するための方法であって、ここで、該方法は、以下の工程：
（ａ）少なくとも５ｋｂのサイズであるゲノムＤＮＡフラグメントを保有する１つ以上の構築物を投与する工程であって、該１つまたは複数のフラグメントは、（ｉ）病原体に由来するか；または（ｉｉ）（ｉ）のフラグメントに対して少なくとも８０％の相同性を有し、該フラグメントのうちの少なくとも１つは、該抗原性ポリペプチドのコード配列を含み、送達の際に、該抗原性ポリペプチドは、免疫応答を惹起するために十分な量で該コード配列から発現される、工程；および
（ｂ）該構築物上において、該抗原性ポリペプチドをコードするコード配列を同定する工程、
を包含する、方法。
【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
癌患者に対して使用する、限局性或いは転移性腫瘍の量の増加を抑制または遅延させる薬剤の製造のための非増殖性アデノウィルス遺伝子を運搬するベクターの利用法であって、該ベクターはチミジンキナーゼをコード化したヌクレオチド塩基配列を含んでおり、癌患者は該ベクターの投与後にガンシクロビル或いは類似プロドラッグを投与され、
既往性全身抗腫瘍免疫応答を誘起するために前記遺伝子運搬ベクターと前記プロドラッグは癌患者に対して放射線療法との組み合わせで投与されることを特徴とする利用法。
【請求項２】
ベクターは、追加のプロドラッグ活性化遺伝子、免疫賦活遺伝子、ゼノ抗原、腫瘍に対するハイパー抗原或いはスーパー抗原をさらに含んでいることを特徴とする請求項１記載の利用法。
【請求項３】
プロドラッグはバルシクロビル、ファムシクロビル或いはその他の経口投与用類似体であることを特徴とする請求項１または２記載の利用法。
【請求項４】
ベクターはインターフェロン、コロニー刺激因子、インターロイキン、ケモカイン或いは共刺激分子である追加の外因性遺伝子を運搬することを特徴とする請求項１から３のいずれかに記載の利用法。
【請求項５】
標的の腫瘍は前立腺癌、頭部、首、頚部、脳、膀胱、直腸、膵臓、結腸、肺臓或いは乳房の腫瘍であることを特徴とする請求項１から４のいずれかに記載の利用法。
【請求項６】
標的の腫瘍は前立腺の腫瘍であることを特徴とする請求項５記載の利用法。
【請求項７】
ベクターは１０9から１０15の有効粒子投与量となるように製剤されていることを特徴とする請求項１から６のいずれかに記載の利用法。
【請求項８】
ベクターは１０9から１０13の有効粒子投与量となるように製剤されていることを特徴とする請求項１から６のいずれかに記載の利用法。
【請求項９】
ベクターは１０9から１０11の有効粒子投与量となるように製剤されていることを特徴とする請求項１から６のいずれかに記載の利用法。
【手続補正書】
【提出日】平成19年7月9日(2007.7.9)
【手続補正１】
【補正対象書類名】明細書
【補正対象項目名】特許請求の範囲
【補正方法】変更
【補正の内容】
【特許請求の範囲】
【請求項１】  哺乳動物が悪性腫瘍を羅患していない場合に哺乳動物における異種抗原に対する免疫応答をブロックするための医薬において、ＣＤ２０に結合する治療有効量の抗体を含有してなる医薬。
【請求項２】  哺乳動物がヒトである請求項１に記載の医薬。
【請求項３】  抗体が細胞障害剤とコンジュゲートしていない請求項１に記載の医薬。
【請求項４】  抗体がリツキシマブ(リツキサン(登録商標))を含んでなる請求項１に記載の医薬。
【請求項５】  抗体が細胞障害剤とコンジュゲートしている請求項１に記載の医薬。
【請求項６】  細胞障害剤が放射活性化合物である請求項５に記載の医薬。
【請求項７】  抗体がＹ２Ｂ８又は１３１Ｉ-Ｂ１(BEXXARＴＭ)を含んでなる請求項６に記載の医薬。
【請求項８】  抗体が静脈内投与される請求項１に記載の医薬。
【請求項９】  抗体が皮下投与される請求項１に記載の医薬。
【請求項１０】  ３７５ｍｇ／ｍ２未満の抗体用量が哺乳動物に投与される請求項１に記載の医薬。
【請求項１１】  用量が約２０ｍｇ／ｍ２〜約２５０ｍｇ／ｍ２の範囲である請求項１０に記載の医薬。
【請求項１２】  用量が約５０ｍｇ／ｍ２〜約２００ｍｇ／ｍ２の範囲である請求項１１に記載の医薬。
【請求項１３】  抗体は初期投与の後に二次投与されるものであり、二次投与における抗体のｍｇ／ｍ２用量が初期投与における抗体のｍｇ／ｍ２用量を越える請求項１に記載の医薬。
【請求項１４】  哺乳動物が異種抗原にさらされる前に抗体が哺乳動物に投与される請求項１に記載の医薬。
【請求項１５】  ＣＤ２０に結合する抗体の治療的有効量を含有してなる、哺乳動物における移植片対宿主又は宿主対移植片疾患を治療するための医薬。
【請求項１６】  哺乳動物の異種異種抗原に対する免疫応答をブロックするための医薬の製造における、ＣＤ２０を結合する抗体の使用。
【請求項１７】  医薬がさらに抗体にコンジュゲートされる細胞障害剤を含んでなる請求項１６に記載の使用。
【請求項１８】  哺乳動物の移植片対宿主又は宿主対移植片疾患を治療するための医薬の製造における、ＣＤ２０を結合する抗体の使用。
【請求項１９】  一以上の用量の抗体が静脈内投与される請求項８に記載の医薬。
【請求項２０】  一以上の用量の抗体が静脈内投与される請求項１５に記載の医薬。
【請求項２１】  一以上の用量の抗体が静脈内投与される請求項１６に記載の使用。
【請求項２２】  一以上の用量の抗体が静脈内投与される請求項１８に記載の使用。
【請求項２３】  実質的に実施例に記載される、請求項１ないし２２の何れか一に記載の方法又は使用。
【手続補正書】
【提出日】平成19年7月12日(2007.7.12)
【手続補正１】
【補正対象書類名】明細書
【補正対象項目名】特許請求の範囲
【補正方法】変更
【補正の内容】
【特許請求の範囲】
【請求項１】
ｎが０、１、２又は３の数を示し、
Ｒが１〜４個の炭素原子を有する直鎖状もしくは分枝鎖状アルキルを示し、
Ｘがニトロ、シアノ、ハロゲンを示すか、あるいはそれぞれ場合によりシアノ−、ハロゲン−もしくはＣ１−Ｃ４−アルコキシ−置換されていることができるそれぞれ１〜４個の炭素原子を有するアルキル、アルコキシ、アルキルチオ、アルキスルフィニル又はアルキルスルホニルを示し、
−化合物Ｎ−メチル−５−クロロジフルオロメチル−１，３，４−チアジアゾール−２−イル−オキシアセトアニリド、Ｎ−エチル−５−クロロジフルオロメチル−１，３，４−チアジアゾール−２−イル−オキシアセトアニリド、４−クロロ−Ｎ−メチル−（５−クロロジフルオロメチル−１，３，４−チアジアゾール−２−イル）−オキシアセトアニリド及び３−トリフルオロメチル−Ｎ−メチル−（５−クロロジフルオロメチル−１，３，４−チアジアゾール−２−イル）−オキシアセトアニリド、Ｎ−ｉ−プロピル−５−クロロジフルオロメチル−１，３，４−チアジアゾール−２−イル−オキシアセトアニリド及び４−フルオロ−Ｎ−メチル−（５−クロロジフルオロメチル−１，３，４−チアジアゾール−２−イル）−オキシアセトアニリド及び４−フルオロ−Ｎ−エチル−（５−クロロジフルオロメチル−１，３，４−チアジアゾール−２−イル）−オキシアセトアニリドを除く−
ことを特徴とする一般式（Ｉ）
【化１】
2003528809.tif 000001
の化合物。
【請求項２】
式（ＩＩ）
【化２】
2003528809.tif 000002
の５−クロロジフルオロメチル−２−メチルスルホニル−１，３，４−チアジアゾールを、適宜酸結合剤の存在下に且つ適宜希釈剤の存在下に、一般式（ＩＩＩ）
【化３】
2003528809.tif 000003
［式中、
ｎ、Ｒ及びＸはそれぞれ請求項１で定義した通りである］
のヒドロキシアセトアニリドと反応させる
ことを特徴とする請求項１に記載の化合物の製造法。
【請求項３】
請求項１に記載の化合物の少なくとも１種を望ましくない植物及び／又はそれらの自生地に作用させることを特徴とする望ましくない植生の抑制法。
【請求項４】
請求項１に記載の化合物ならびに通常の伸展剤及び／又は界面活性剤を含むことを特徴とする除草性組成物。
【手続補正書】
【提出日】平成19年4月19日(2007.4.19)
【手続補正１】
【補正対象書類名】明細書
【補正対象項目名】特許請求の範囲
【補正方法】変更
【補正の内容】
【特許請求の範囲】
【請求項１】  活性成分および該活性成分を送達するリポソーム送達系を含むリポソームプロドラッグであって、該送達系はリポソーム、ミセルおよび／または該活性成分を拘束する脂質膜レセプタクルを含み、該活性成分は次式化合物：
【化１】
2003528808.tif 000001
（式中、Ｒ１はＲ２がＨである場合、Ｃ２〜Ｃ４アルキル基、Ｃ６〜Ｃ１５アルキル基、Ｃ３〜Ｃ８シクロアルキル基、Ｃ２〜Ｃ１５アルケニル基またはＣ２〜Ｃ１５エポキシ基であり、また、Ｒ１はＲ２がＮＨ２またはＮＯ２である場合、Ｃ１〜Ｃ１５アルキル基、Ｃ３〜Ｃ８シクロアルキル基、Ｃ２〜Ｃ１５アルケニル基またはＣ２〜Ｃ１５エポキシ基である。）を含むリポソームプロドラッグ。
【請求項２】
前記Ｒ２はＮＯ２である、請求項１記載のリポソームプロドラッグ。
【請求項３】
前記Ｒ２はＮＨ２である、請求項１記載のリポソームプロドラッグ。
【請求項４】
前記Ｒ２はＨである、請求項１記載のリポソームプロドラッグ。
【請求項５】
有効量の請求項１記載のリポソームプロドラッグを含む組成物を投与することを含む癌治療剤であって、該癌は該組成物に対して反応性である癌治療剤。
【請求項６】
式（Ｉ）：
【化２】
（Ｉ）
2003528808.tif 000002
（式中、Ｒ１はＣ１〜Ｃ１５アルキル基、Ｃ３〜Ｃ８シクロアルキル基、Ｃ２〜Ｃ１５アルケニル基、またはＣ２〜Ｃ１５エポキシ基であり、かつ、Ｒ２はＮＨ２である。）である化合物。
【請求項７】
有効量の請求項６記載の化合物を含む組成物を投与することを含む癌治療剤。
【誤訳訂正書】
【提出日】平成19年5月22日(2007.5.22)
【誤訳訂正１】
【訂正対象書類名】明細書
【訂正対象項目名】０００１
【訂正方法】変更
【訂正の内容】
【０００１】
【発明の背景】
米国特許第５,５６３,１７５号およびそのファミリー特許は、グルタミン酸およびγ−アミノ酪酸（ＧＡＢＡ）の類似物である化合物
【化３】
2002527474.tif 000001
（式中、Ｒ1は１〜６個の炭素を有する直鎖もしくは分枝アルキル基、フェニル、または３〜６個の炭素を有するシクロアルキルであり；Ｒ2は、水素またはメチルであり；そしてＲ3は、水素、メチルまたはカルボキシルである）に関する。この化合物は、抗発作治療において、ならびにＣＮＳ障害、例えばてんかん症、ハンチントン舞踏病、脳虚血、パーキンソン症候群、遅発性ジスキネジーおよび痙性に対して有用である。この化合物は、おそらく抗うつ薬、不安緩解剤および抗精神病薬としても有用であるかも知れないと説明されている。
【手続補正書】
【提出日】平成18年11月29日(2006.11.29)
【手続補正１】
【補正対象書類名】明細書
【補正対象項目名】特許請求の範囲
【補正方法】変更
【補正の内容】
【特許請求の範囲】
【請求項１】  Δ５−アンドロステン−３β−オール−７，１７−ジオン及びその３βエステルから選択されるステロイドの有効量を含む、健康な哺乳動物の記憶を改善するための医薬。
【請求項２】  前記哺乳動物がヒトである、請求項１記載の医薬。
【請求項３】  健康なヒトの長期記憶を改善するための、請求項２記載の医薬。
【請求項４】  注射剤である、請求項２記載の医薬。
【請求項５】  経口投与用である、請求項２記載の医薬。
【請求項６】  Δ５−アンドロステン−３β−アセチル−７，１７−ジオンを含む、請求項２記載の医薬。
【請求項７】  Δ５−アンドロステン−３β−オール−７，１７−ジオン及びその３βエステルから選択されるステロイドの有効量を含む、老齢により記憶の減退した哺乳動物の記憶を改善するための医薬。
【請求項８】  前記哺乳動物がヒトである、請求項７記載の医薬。
【請求項９】  ヒトの長期記憶を改善するための、請求項８記載の医薬。
【請求項１０】  注射剤である、請求項８記載の医薬。
【請求項１１】  経口投与用である、請求項８記載の医薬。
【請求項１２】  Δ５−アンドロステン−３β−アセチル−７，１７−ジオンを含む、請求項８記載の医薬。